(57)【要約】【課題】  真正な利用者が１人づつ確実にかごに乗り込むようにする。【解決手段】  乗りかご４がホール呼び登録階に停止した後、利用者の個人認証カード１５の認証識別データを認証検知制御機器１３で読取り、真正なエレベータ利用者へのかご乗り込みを許可するエレベータであって、エレベータ制御装置３は、乗りかご４がホール呼び登録階に停止したとき、エレベータドアをエレベータ利用者が出入り不能な半開状態に保持するドア半開保持手段３ｂと、認証検知制御機器１３から真正なエレベータ利用者とする確認に基づいて発生される半開状態解除信号を受け取ったとき、前記ドア半開状態の保持を解除し、手動によりホールドアをドア開可能なモードに設定するドア半開解除手段３ｄとを備えたエレベータのドアシステムである。【選択図】図１
2010037070.tif 000002
【特許請求の範囲】
【請求項１】
乗りかごがホール呼び登録階に停止した後、エレベータ利用者が携行する個人認証カードの認証識別データを認証検知制御機器で読取って真正なエレベータ利用者であると確認したとき、エレベータ制御装置が当該真正なエレベータ利用者へのかご乗り込みを許可するエレベータにおいて、
前記エレベータ制御装置は、前記乗りかごが前記ホール呼び登録階に停止したとき、エレベータドアを半開状態に保持するドア半開保持手段と、前記認証検知制御機器から前記真正なエレベータ利用者であるとする確認に基づいて発生される前記半開状態解除信号を受け取ったとき、前記ドア半開状態の保持を解除し、手動によりホールドアをドア開可能なモードに設定するドア半開解除手段を備えたことを特徴とするエレベータのドアシステム。
【請求項２】
請求項１に記載のエレベータのドアシステムにおいて、
前記ホールドアの裏面側上部の所要位置に縦方向に設けられるストッパ当り部材と、
このホールドアの裏面側と対面するかごドアの面部で、かつ前記ストッパ当り部材の頂部より上側位置に取り付けられ、前記乗りかごがホール呼び登録階に停止した後、エレベータ制御装置からドア半開指令を出力し、ドアモータを介して所定方向に回動されて前記ストッパ当り部材の一方面部に当ててドア半開状態を保持させ、また、前記認証検知制御機器から前記真正なエレベータ利用者であるとする確認に基づいて発生される前記半開状態解除信号を受け取ったとき、前記ドアモータを介して前記所定方向とは反対側の方向に回動されて前記ストッパ当り部材の他方面部に当ててドア開可能な状態に設定するドアストッパと、
前記エレベータドアの閉じる際に自重によりドア閉とする機能を有するドアクローザとを備えたことを特徴とするエレベータのドアシステム。
【請求項３】
請求項１に記載のエレベータのドアシステムにおいて、
前記個人認証カードには前記認証識別データの他に当該カードを所持するエレベータ利用者の体形に合ったドア開幅設定データが記憶させ、前記認証検知制御機器から当該ドア開幅設定データ及び真正なエレベータ利用者であるとする確認のもとに出力される前記半開状態解除信号を受け取ると、前記エレベータ制御装置のドア半開解除手段が前記エレベータドアを前記ドア開幅設定データに相当する距離だけドア開制御を実行することを特徴とするエレベータのドアシステム。
【請求項４】
請求項１または請求項３に記載のエレベータのドアシステムにおいて、
前記個人認証カードに当該カードを所持するエレベータ利用者の体形に合ったドア開幅設定データが記憶されていないとき、前記エレベータ制御装置のドア半開解除手段は、真正なエレベータ利用者が前記乗りかご内に乗り込む際に手動によりドア開したときのドア開距離を前記ドア開幅設定データ取り込んで記憶し、あるいは前記個人認証カードの所定記憶領域に書き込むことにより、以降の前記個人認証カード利用時に前記書き込んだドア開幅設定データに基づいて自動的にドア開制御を実行することを特徴とするエレベータのドアシステム。
【請求項５】
請求項１または請求項２に記載のエレベータのドアシステムにおいて、
エレベータドア近傍に設置され、エレベータ利用者がかごドアを通過する回数を検知する非接触型ドア通過センサと、
前記エレベータ制御装置に外付けまたは組み込まれ、前記非接触型ドア通過センサの検知回数と前記認証検知制御機器による認証登録回数とを比較し、一致しないときにエレベータドアのドア全開指令を出力すると共に、前記乗りかご内に音声発生器から警報アナウンスを鳴動させる警告アナウンスユニットと、
前記乗りかご内に設置され、前記エレベータ利用者の操作によって前記鳴動を取り消す鳴動取消し操作器とを設けたことを特徴とするエレベータのドアシステム。
【発明の詳細な説明】
【技術分野】
【０００１】
本発明は、共同住宅ビルや一般事務所用ビルの乗りかご内に真正な利用者のみを乗り込ませるエレベータのドアシステムに関する。
【背景技術】
【０００２】
エレベータの防犯システムは、ホールドア側またはかご内にカードリーダを設置し、予め定めらた時間を超えたときに防犯運転モードに設定し、エレベータ利用者が個人認証カードをカードリーダに読み取らせ、真正なエレベータ利用者であると確認した際にエレベータドア（ホールドア及びかごドアを含む）を開け、真正なエレベータ利用者を乗りかごに乗り込ませるか、または乗りかごの走行運転を開始するシステムが提案されている（特許文献１）。
【０００３】
ところで、従来の一般的なエレベータは、エレベータドアが両開き型式となっているので、エレベータドアの出入口が広く開き、同時に複数人が出入り可能な状態となっている。そのため、カードリーダ等を用いて、かご内の乗り込みを制限しても、同時に複数人の乗客が乗り込むことができるので、真正なエレベータ利用者と共に認証していない人も一緒に乗り込むことが可能となり、認証していない人の乗り込みだけを制限することが難しい状況にある。
【特許文献１】特開２００６−２９０５８５号公報
【発明の開示】
【発明が解決しようとする課題】
【０００４】
従って、従来の個人認証付きエレベータでは、夜遅くに帰宅する真正な利用者がエレベータを利用するに際し、玄関ホールなどに見知らぬ人が待機している場合、その見知らぬ人へのエレベータの利用を優先させるとか、玄関ホールに暫く待機して他の顔見知りの人と一緒に乗り込む場合が多く、手軽にエレベータを利用することができない。
【０００５】
また、真正な利用者と認証してエレベータドアが開いたとき、複数人が同時に乗りかごに乗ってしまった場合、認証者とは別に非認証者だけを検知することが難しい。その結果、真正な利用者以外の同乗を避けることが難しく、犯罪の危険性が高くなってしまう。
【０００６】
本発明は上記事情に鑑みてなされたもので、真正なエレベータ利用者が１人づつ確実にかごに乗り込むことを可能にするエレベータのドアシステムを提供することを目的とする。
【課題を解決するための手段】
【０００７】
上記課題を解決するために、本発明は、乗りかごがホール呼び登録階に停止した後、エレベータ利用者が携行する個人認証カードの認証識別データを認証検知制御機器で読取って真正なエレベータ利用者であると確認したとき、エレベータ制御装置が当該真正なエレベータ利用者へのかご乗り込みを許可するエレベータにおいて、
前記エレベータ制御装置は、前記乗りかごが前記ホール呼び登録階に停止したとき、エレベータドアをエレベータ利用者の出入り不能な半開状態に保持するドア半開保持手段と、前記認証検知制御機器から前記真正なエレベータ利用者であるとする確認に基づいて発生される前記半開状態解除信号を受け取ったとき、前記ドア半開状態の保持を解除し、手動によりホールドアをドア開可能なモードに設定するドア半開解除手段を備えたエレベータのドアシステムである。
【０００８】
また、本発明は、前述した構成に新たに、前記ホールドアの裏面側上部の所要位置に縦方向に設けられるストッパ当り部材と、このホールドアの裏面側と対面するかごドアの面部で、かつ前記ストッパ当り部材の頂部より上側位置に取り付けられ、前記乗りかごがホール呼び登録階に停止した後、エレベータ制御装置からドア半開指令を出力し、ドアモータを介して所定方向に回動されて前記ストッパ当り部材の一方面部に当ててドア半開状態を保持させ、また、前記認証検知制御機器から前記真正なエレベータ利用者であるとする確認に基づいて発生される前記半開状態解除信号を受け取ったとき、前記ドアモータを介して前記所定方向とは反対側の方向に回動されて前記ストッパ当り部材の他方面部に当ててドア開可能な状態に設定するドアストッパと、前記エレベータドアの閉じる際に自重によりドア閉とする機能を有するドアクローザとを備えたエレベータのドアシステムである。
【０００９】
さらに、本発明は、前記個人認証カードには前記認証識別データの他に当該カードを所持するエレベータ利用者の体形に合ったドア開幅設定データが記憶させ、エレベータ制御装置のドア半開解除手段が前記エレベータドアを前記ドア開幅設定データに相当する距離だけドア開制御を実行するとか、あるいは前記個人認証カードに当該カードを所持するエレベータ利用者の体形に合ったドア開幅設定データが記憶されていないとき、エレベータ制御装置のドア半開解除手段は、真正なエレベータ利用者が手動によりドア開したとき、ドア開幅設定データ取り込んで個人認証カードに書き込み、以降の個人認証カード利用時に自動的にドア開制御を実行できるようにしてもよい。
【発明の効果】
【００１０】
本発明によれば、真正なエレベータ利用者が１人づつ確実にかごに乗り込むことが可能となり、部外者の乗り込みを確実に抑制できるエレベータのドアシステムを提供できる。
【発明を実施するための最良の形態】
【００１１】
以下、本発明の実施形態について図面を参照して説明する。  
（第１の実施の形態）  
図１及び図２は本発明に係るエレベータのドアシステムにおける第１ないし後記する第４の実施形態を示す構成図である。同図において、１は建物内の昇降路、２は巻上機、３はエレベータ制御装置、４は乗りかご、４ａはかごドア、５は主索、６はつり合いおもりである。
【００１２】
エレベータのドアシステムは、図２に示すように各階ホール１０から昇降路１に連なる個所に門型形状の３方枠１１が設けられ、この３方枠１１にはホールドア１２が開閉可能に取り付けられている。このホールドア１２の一側方の３方枠１１面部またはホール壁には認証検知制御機器１３及びモード表示部１４が設置されている。
【００１３】
各階に設置される認証検知制御機器１３及びモード表示部１４は信号伝送ラインを介してエレベータ制御装置３に接続される。
【００１４】
認証検知制御機器１３は、自己またはエレベータ制御装置３内に共同住宅ビルの居住者や一般事務所用ビルの従業員等，真正なエレベータ利用者の生体認証を含む参照識別データＩＤが記憶され、検知面部にエレベータ利用者が携行する個人認証カード１５をかざすと、必要な認証識別データを読み取り、既に記憶されている参照識別データと照合し、真正な利用者と確認したとき、後記するドア半開解除信号をエレベータ制御装置３に送信する。モード表示部１４は、エレベータ制御装置３からのモード指示に従って後記する手動ドア開を可能とするドアモードを表示する。
【００１５】
エレベータ制御装置３は、エレベータの運行に関するデータを保存する記憶装置１６が接続され、機能的には、乗場呼びまたはかご呼びの登録に基づいて乗りかご４を目的階に運行制御する運行制御手段３ａと、乗りかご４が目的階に停止したときにホールドア１２（かごドア４ａも含む）を半開き状態に保持するドア半開保持手段３ｂと、モード表示部１４に現状のドアモードを表示するドアモード表示手段３ｃと、一定の条件のもとに半開き状態を解除して手動開可能にするドア半開解除手段３ｄとが設けられている。
【００１６】
次に、エレベータのドアシステムの動作について、図３を参照して説明する。  
エレベータ制御装置３は、最下階または基準階からホール呼びを受け取ると、ホール呼びの登録を行った後（Ｓ１）、その呼び登録された階である目的階に向けて乗りかご４を運行制御する。このとき、エレベータ制御装置３は、乗りかご４が目的階に着床し停止したか否を判断する（Ｓ２）。ステップＳ１，Ｓ２は運行制御手段３ａに該当する。
【００１７】
エレベータ制御装置３は、乗りかご４が目的階に停止したと判断したときドア半開指令を送出し、かごドア４ａを含むホールドア１２が人の出入り不能な半開き状態（人が出入りできない例えば１０ｃｍ〜３０ｃｍ程度の幅）になったか否かを確認する（Ｓ４）。
【００１８】
エレベータ制御装置３は、ホールドア１２が予め定められた半開き相当幅まで開いたことを確認すると、ドア半開保持指令をドアモータに送信する。ここで、ドアモータがドア半開保持指令に従って回転し、ホールドア１２を半開き状態にするとともに、ドア開トルクを掛けることにより、ホールドア１２を半開き状態に保持する（Ｓ５）。このステップＳ５はドア半開保持手段３ｂに相当する。
【００１９】
また、エレベータ制御装置３は、ドア半開状態を保持させた後、ホールドア１２が半開状態にあることをモード表示部１４に表示する（Ｓ６）。ステップＳ６はドアモード表示手段３ｃに相当する。
【００２０】
このとき、エレベータ利用者は、目的階のホールに待機しているが、モード表示部１４が半開状態にあることを確認すると、携行する個人認証カード１５を取り出し、認証検知制御機器１３に装填または近づける。そうすると、認証検知制御機器１３は、個人認証カード１５の認証識別データを読み取り、エレベータ制御装置３に送信して記憶させるとともに（Ｓ７）、予め記憶される参照識別データの中に当該認証識別データと一致する参照識別データが存在するか否かを判断する（Ｓ８）。一致すれば、真正なエレベータ利用者と確認し、ドア半開解除信号をエレベータ制御装置３に送信する。
【００２１】
エレベータ制御装置３は、ドア半開解除信号を受け取ると、エレベータドアに対してドア半開解除指令を送出し、かつ、ドアモータによるドア開トルクをオフさせることにより、真正にエレベータ利用者が手動によりホールドア１２をドア開可能な状態に設定する（Ｓ９）。このステップＳ７はドア半開解除手段３ｄに相当する。
【００２２】
さらに、エレベータ制御装置３は、ホールドア１２の保持モードからドア開モードを移行したことを認証者に知らせるために、モード表示部１４にドア開モードに移行したことを表示する（Ｓ１０）。このステップＳ８はドアモード表示手段３ｃに相当する。
【００２３】
従って、以上のような実施の形態によれば、ホール呼びに基づいて該当ホールに乗りかご４が停止してもホールドア１２が半開状態に保持しているので、エレベータ利用者（部外者も含む）は乗りかご４に乗り込むことができない。
【００２４】
エレベータ利用者が個人認証カード１５を認証検知制御機器１３に読み込ませたときだけ、真正なエレベータ利用者と認証され、ホールドア１２の半開き保持状態から手動ドア開可能状態に移行するので、真正なエレベータ利用者は手動により自分1人が通れる程度までエレベータドアを開けて乗りかごに乗り込むことができる。
【００２５】
なお、上記実施の形態では、認証検知制御機器１３が真正なエレベータ利用者が携行する個人認証カード１５の個人識別データを読み取るようにしたが、例えば予め真正な利用者の特定の生体部位の生体参照識別データを記憶しておき、認証検知制御機器１３が特定の生体部位の生体データを読み取り、生体参照識別データと比較する方法であってもよい。
【００２６】
（第２の実施の形態）  
図４は本発明に係るエレベータのドアシステムの第２の実施の形態を示す構成図である。
【００２７】
図４（ａ）は、ドア半開保持状態を示す図であって、詳細には昇降路１内側からホールドア１２の裏面側２１を見た図であって、このホールドア１２の裏面側（紙面側）２１と対面する手前側にはかごドア４ａが存在するが、ここではかごドア４ａを省略してある。
【００２８】
ホールドア１２の裏面側２１上部の所要位置の縦（上下）方向にストッパ当り部材２２が取り付けられ、一方、ホールドア１２の裏面側２１と対面するかごドア４ａの面部側のストッパ当り部材２２頂部よりやや上部相当位置にドアストッパ２３が取り付けられている。
【００２９】
２４はエレベータ利用者に開けられたドアを自動的に閉じる機能をもったドアクローザである。このドアクローザ２４は、急激に閉じることがないように動作を緩慢にする働きを有し、それ自体は動力を持たず、ドアが開けられたときの力をバネに蓄えると度ヴ子に、オイルの粘性を利用したダンパーにより急激な動きを抑える仕組みとなっているが、ここではドアの閉じる際に自重により閉じる方向に作用させている。２５はホールドア１２のドア開当り部である。
【００３０】
ドアストッパ２３は、モータ（図示せず）の回転軸に固定され、常時は例えば図示（イ）に示す点線位置にあり、エレベータ制御装置３からドア半開指令を受けると、当該モータが所定角度回転し、それに伴ってドアストッパ２３が反時計方向に回動し、ストッパ当り部材２２の図示左面に当る。
【００３１】
その結果、ドア開方向に動かないように固定され、エレベータ制御装置３からのドア半開指令を受け、ホールドア１２がドアモータのドア開方向に働く力により、人の出入り不能な半開状態に保持される。
【００３２】
図４（ｂ）は、ドア半開き解除状態を示す図である。ホールドア１２が人の出入り不能な半開状態となった後、エレベータ利用者が個人認証カード１５を認証検知制御機器１３に装填または近づけ、カード１５から読み取った認証識別データが予め記憶される参照識別データの中に一致するデータが存在するとき、半開き解除信号をエレベータ制御装置３に送信する。
【００３３】
その結果、エレベータ制御装置３は、半開解除指令を送出し、モータを介してドアストッパ２３を時計方向に回動し、図示（ロ）または図示（ハ）のようにホールドア１２側のストッパ当り部材２２の右側面（外側面）に当たるように回転し、ドア開トルクを切り、ドアクローザ２４の自重によりドア閉方向に力がかかり、エレベードアが閉じる。
【００３４】
このようにエレベータ制御装置３は、ドアストッパ２３を回動制御し、ホールドア１２によるドア半開保持状態と半開解除状態とに切替え、半開解除状態時には真正なエレベータ利用者が１人づつ乗りかご４に乗り込むことにより、部外者の乗り込みを確実に抑制できる。
【００３５】
（第３の実施の形態）  
図５は本発明に係るエレベータのドアシステムの第３の実施の形態を示す構成図である。
【００３６】
この実施の形態は、個人認証カード１５に認証識別データの他、真正なエレベータ利用者個人の体形に見合ったドア開幅設定データを設定する一方、エレベータ制御装置３としては、図５に示すように、第１の実施の形態と同様に運行制御手段３ａ、ドア半開保持手段３ｂ、ドアモード表示手段３ｃ、ドア半開解除手段３ｄを有し、さらに新たにドア開幅制御手段３ｅを設けたものである。
【００３７】
このドア開幅制御手段３ｅは、認証検知制御機器１３が個人認証カード１５から認証識別データ及びドア開幅設定データを読み取ってエレベータ制御装置３に送信すると、当該エレベータ制御装置３が真正にエレベータ利用者であることを条件に、自動的にドア開幅設定データに従って当該利用者の体形に合った開幅となるようホールドア１２をドア開制御する機能をもっている。
【００３８】
次に、以上のようなエレベータのドアシステムの作用について、図６を参照して説明する。
【００３９】
なお、図６のステップＳ１〜Ｓ８は第１の実施の形態で説明した図３のステップＳ１〜Ｓ８と全く同様の処理であるので、ここではその処理の説明を省略し、以下、ステップＳ１１から説明する。
【００４０】
エレベータ制御装置３は、ドア半開状態を保持し、かつ、エレベータが半開状態にあることをモード表示部１４に表示した後（Ｓ６）、エレベータ利用者が携行する個人認証カード１５を取り出し、認証検知制御機器１３に装填または近づける。そうすると、認証検知制御機器１３は、個人認証カード１５の認証識別データ及びドア開幅設定データを読み取り、エレベータ制御装置３に送信して記憶装置１６に記憶させるとともに（Ｓ７）、予め記憶される参照識別データの中にカード１５の認証識別データと一致する参照識別データが存在するか否かを判断する（Ｓ８）。一致すれば、真正なエレベータ利用者と確認し、ドア半開解除信号をエレベータ制御装置３に送信する。
【００４１】
エレベータ制御装置３は、ドア半開解除信号を受け取ると、ドア開幅設定データがあるか否かを判断する（Ｓ１１）。このとき、認証検知制御機器１３から既にドア開幅設定データを受け取っているので、ドア開幅設定データ有りと判断し、当該ドア開幅設定データを読取り（Ｓ１２）、ホールドア１２を自動的にドア開幅設定データに相当するドア開幅だけ開けるようにドアモータ（図示せず）を駆動制御する（Ｓ１３）。このステップＳ１１〜Ｓ１３はドア開幅制御手段３ｅに相当する。
【００４２】
さらに、第３の実施の形態の他の例について、図７を参照して説明する。  
この例は、真正なエレベータ利用者が携行する個人認証カード１５を所持するが、未だ個人認証カード１５にドア開幅設定データが設定されていない場合、ドア開幅設定データをエレベータ制御装置３または個人認証カード１５に自動的に設定する例である。
【００４３】
具体的には、ドア開方向に等間隔で複数個のマイクロスイッチまたは光学的なスイッチ２１ａ，２１ｂ，…を設置し、エレベータ制御装置３がホールドア１２が開いたときにスイッチ接触または受光したとき、スイッチオン信号または受光信号を受け取る構成とする。
【００４４】
その結果、エレベータ制御装置３は、ステップＳ１１において、ドア開幅設定データ無しと判断されたとき、既にドア半開解除信号を受け取っているので、半開解除指令を送出し、ドアモータによるドア開トルクをオフさせることにより、真正なエレベータ利用者が手動によりホールドア１２をドア開可能な状態に設定する（Ｓ１４）。このステップＳ１４はドア半開解除手段３ｄに該当する。
【００４５】
このとき、エレベータ制御装置３は、真正なエレベータ利用者が手動でエレベータドアを開けたとき、マイクロスイッチまたは光学的なスイッチ２１ａ，２１ｂ，…からドア開距離を測定し、記憶装置に既に受け取っている認証識別データに対応付けてドア開設定データとして記憶するか、あるいは個人認証カード１５の所定記憶エリアに測定したドア開距離をドア開幅設定データとして書き込むことにより（Ｓ１５）、以後、自動的に個人認証カード１５を装填などしたとき、ホールドア１２を自動的にドア開幅設定データに相当するドア開幅だけ開けるように制御する。
【００４６】
従って、以上のような実施の形態によれば、カード１５の認証識別データから真正なエレベータ利用者と確認したとき、エレベータ制御装置３は、認証検知制御機器１３から既に受け取っているドア開幅設定データに基づき、真正なエレベータ利用者の体形に合った幅分だけエレベータドアを開けるので、特に細身の利用者は乗りかご４内に入ることができるが、それよりも太目の利用者は個人認証カード１５で真正なエレベータ利用者と認証されない限りかご内に入ることができない。
【００４７】
また、個人認証カード１５にドア開幅設定データが設定されていない場合、手動でドアを開けたときに自動的にドア開距離を測定し、その測定されたドア開幅設定データをエレベータ制御装置３または個人認証カード１５に保存するので、特に手数を煩わすことなく、個人認証カード１５にドア開幅設定データを容易に設定できる。
【００４８】
（第４の実施の形態）  
図８及び図９は本発明に係るエレベータのドアシステムの第４の実施の形態を示す構成図である。図８は乗りかご４内からかごドア４ａ側を見た図、図９はドアシステムを説明する全体構成である。
【００４９】
ドアシステムとしては、エレベータ制御装置３に警告アナウンスユニット３１及び警報器を有する管理人室３２が接続されている。また、乗りかご４のかごドア４ａまたは互いに向き合う３方枠１１に非接触型ドア通過センサ３３が取り付けられ、かごドア４ａを通過する乗客の人数（回数）を検出し、認証検知制御機器１３で真正なエレベータ利用者として登録された人数データと共に、エレベータ制御装置３を介して警告アナウンスユニット３１に送信する構成となっている。なお、警告アナウンスユニット３１は、エレベータ制御装置３に組み込んでも構わない。
【００５０】
さらに、乗りかご４内のかご操作盤３４の近傍またはかご操作盤３４自体に警告アナウンス取消し用操作器３５が設けられている。
【００５１】
次に、以上のようなエレベータのドアシステムの動作について、図１０を参照して説明する。
【００５２】
先ず、エレベータ制御装置３は、内部メモリあるいは外部メモリのドア通過用カウンタメモリ３６ａ及び認証者登録用カウンタ３６ｂにかご内初期値人数としてＫＮ＝０をセットした後（Ｓ２１）、ホール呼びやかご呼びが有ったか否かを判断し、ホール呼びやかご呼びが有り、呼び登録を実施する（Ｓ２２）。
【００５３】
エレベータ制御装置３は、呼び登録後、その呼び登録された階である目的階に向けて乗りかご４を運行制御する。このとき、エレベータ制御装置３は、乗りかご４が目的階に着床し停止し、かつ、ドア開となった状態となったとき（Ｓ２３）、そのドア開の間中、乗客が個人認証カード１５の認証を受けつつ、非接触型ドア通過センサ３３から送られてくるかごドア通過信号からかご内人数をドア通過用カウンタメモリにカウントアップしていく（Ｓ２４）。また、認証検知制御機器１３で真正なエレベータ利用者として登録されたとき、登録データに従って認証者登録用カウンをカウントアップしていく（Ｓ２５）。
【００５４】
ここで、警告アナウンスユニット３１は、少なくともドア閉指令直前に、ドア通過用カウンタメモリ３６ａのカウント値ＫＮＴと認証者登録用カウンのカウント値ＫＮＲとをそれぞれ読み出して比較し（Ｓ２６）、一致するときに不正な乗客が乗っていないと判断し、ドア閉指令を送出し、エレベータドアを閉じる（Ｓ２７）。
【００５５】
一方、ステップＳ２６において、２つのカウント人数が異なる場合、特にかごドア通過人数であるかご内人数カウント値ＫＮＴが真正なエレベータ利用者として登録されたカウント値ＫＮＲよりも多いとき、エレベータ制御装置３にかごドア全開指令を送出する一方、警報アナウンスを乗りかごの音声発生器から鳴動させ、さらに管理人室３２に異常を通報する。その結果、かごドアが全開待機状態となる（Ｓ２８）。
【００５６】
その結果、認証されていない乗客が無理やり同乗するのを防ぐことができるだけでなく、管理人などが駆けつけて乗りかご４内を確認することができ、かご内の犯罪を未然に回避できる。
【００５７】
なお、認証を終えた正規の認証者が明らかに誤動作や悪意を持つ人が同乗していないと判断した場合、かご内の警告アナウンス取消し用操作器３５を操作すれば（Ｓ２９）、鳴動アナウンスを取消し（Ｓ３０）、通常運転に戻すことができる。
【００５８】
しかし、悪意を持つ人が警告アナウンス取消し用操作器３５を操作することも考えられる。そこで、警告アナウンス取消し用操作器３５の取消し用ボタンを押圧する操作に代え、予め決められた操作，例えば取消し用ボタンを２回間欠的に押圧操作するとか、あるいは複数の値数キーのうち予め決められた少なくとも１つの特定の値数キーを操作することにより、取消し信号を発生するようにすれば、悪意を持つ乗客の操作を阻止することができる。
【００５９】
その他、本発明は、上記実施の形態に限定されるものでなく、その要旨を逸脱しない範囲で種々変形して実施することが可能である。上記実施の形態では、特に時間帯について規定していないが、犯罪を防止する観点から、予め定める時間帯例えば深夜帯（２３：００〜５：００）だけ本発明システムの運転モードが動作するように設定してもよい。
【００６０】
また、上記実施の形態は、個人認証カード１５を用いて認証するようにしたが、エレベータ利用者の顔画像を撮影し、その撮影した顔画像から真正なエレベータ利用者か否かを認証し、乗りかご４への乗り込みを許可するものにも同様に適用できるものである。この場合には、予め真正な利用者の顔画像の特徴を記憶装置１６などに登録しておくものとする。
【図面の簡単な説明】
【００６１】
【図１】本発明に係るエレベータのドアシステムの第１ないし第４の実施形態を示す構成図。
【図２】ホール側から見たホールドアの正面図。
【図３】本発明に係るエレベータのドアシステムにおける第２の実施形態の動作を説明するフロー図。
【図４】本発明に係るエレベータのドアシステムの第２の実施形態を示すドア構成図。
【図５】本発明に係るエレベータのドアシステムの第３の実施形態を説明する機能構成図。
【図６】本発明に係るエレベータのドアシステムにおける第３の実施形態の動作を説明するフロー図。
【図７】第３の実施形態の他の実施例を説明する図。
【図８】本発明に係るエレベータのドアシステムの第４の実施形態を説明するかご内のかごドア側の正面図。
【図９】本発明に係るエレベータのドアシステムの第４の実施形態を説明するシステム構成図。
【図１０】本発明に係るエレベータのドアシステムにおける第４の実施形態の動作を説明するフロー図。
【符号の説明】
【００６２】
１…昇降路、３…エレベータ制御装置、３ａ…運行制御手段、３ｂ…ドア半開保持手段、３ｃ…ドアモード表示手段、３ｄ…ドア半開解除手段、３ｅ…ドア開幅制御手段、４…乗りかご、４ａ…かごドア、１２…ホールドア、１３…認証検知制御機器、１４…モード表示部、１５…個人認証カード、２１…ホールドア裏面側、２２…ストッパ当り部材、２３…ドアストッパ、３１…警告アナウンスユニット、３２…管理人室、３３…ドア通過センサ、３４…かご操作盤、３５…警告アナウンス取消し用操作器。
【図１】
2010037070.tif 000003
【図２】
2010037070.tif 000004
【図３】
2010037070.tif 000005
【図４】
2010037070.tif 000006
【図５】
2010037070.tif 000007
【図６】
2010037070.tif 000008
【図７】
2010037070.tif 000009
【図８】
2010037070.tif 000010
【図９】
2010037070.tif 000011
【図１０】
2010037070.tif 000012